(57)【特許請求の範囲】
【請求項１】
透明な基板上に形成された光透過性の第１の電極、前記第１の電極の上に形成された発光層を有する有機層、および、前記有機層の上に形成された光透過性の第２の電極、を有する光を透過する有機ＥＬパネルを含む、２以上の有機ＥＬパネルと、
前記２以上の有機ＥＬパネルを相互に重ねて支持する支持部と、を備え、
隣り合う少なくとも２つの前記有機ＥＬパネルは、相互に所定の間隙をあけて配置され、前記有機ＥＬパネルの間隙に向かって、前記間隙の両側の有機ＥＬパネルのパネル面の方向に光を照射する発光手段を備え、
前記２以上の有機ＥＬパネルのパネル面の中央に、発光せず光を透過し、前記有機ＥＬパネルの奥行方向に大きさが小さくなる無発光透過パターンが形成されていることを特徴とする有機ＥＬ発光装置。
【請求項２】
前記２以上の有機ＥＬパネルのうち、少なくとも１つの有機ＥＬパネルは、光を反射する反射部材を含む、ことを特徴とする請求項１に記載の有機ＥＬ発光装置。
【請求項３】
前記反射部材を含む有機ＥＬパネルは、前記重ねた方向の端に位置することを特徴とする請求項２に記載の有機ＥＬ発光装置。
【請求項４】
前記２以上の有機ＥＬパネルを重ねた方向の端に、前記有機ＥＬパネルに向かう面が光を反射する反射板を備え、
全ての前記有機ＥＬパネルは少なくとも光を透過する部分を含む、
ことを特徴とする請求項１ないし３のいずれか１項に記載の有機ＥＬ発光装置。
【請求項５】
前記支持部は、すべての前記有機ＥＬパネルを、主面の向きを相互に平行に支持することを特徴とする請求項１ないし４のいずれか１項に記載の有機ＥＬ発光装置。
【請求項６】
前記支持部は、少なくとも１つの前記有機ＥＬパネルを、その主面が他のいずれかの前記有機ＥＬパネルの主面に交わる向きに支持することを特徴とする請求項１ないし４のいずれか１項に記載の有機ＥＬ発光装置。
【請求項７】
前記有機ＥＬパネルはそれぞれ、単一の発光色を有することを特徴とする請求項１ないし６のいずれか１項に記載の有機ＥＬ発光装置。
【請求項８】
前記有機ＥＬパネルはそれぞれ、互いに異なる発光色を有することを特徴とする請求項１ないし７のいずれか１項に記載の有機ＥＬ発光装置。
【発明の詳細な説明】
【技術分野】
【０００１】
本発明は、有機ＥＬ発光装置に関する。
【背景技術】
【０００２】
有機エレクトロルミネッセンス素子（以下、有機ＥＬ素子という）は、素子自体が発光するので視認性が高く、固体素子であるため耐衝撃性に優れるなどの利点から、各種表示装置における発光素子としての利用が注目されている。また、有機ＥＬ素子は、面光源で薄くできるという特徴がある。有機ＥＬ素子の構成は、陽極、発光層および陰極の積層を基本とし、ガラス板等を用いた基板上に、透明陽極を形成する構成が通常採用されている。この場合、発光は基板側に取り出される。【０００３】
陰極側から発光を取り出す有機ＥＬ素子も知られている。例えば、特許文献２の有機ＥＬ素子は、基材上に順次設けられた陽極、有機層、光透過性を有するバリア性導電層、および、光透過性を有する陰極とを備える。【０００４】
両電極を透明電極で形成し、両面に発光させる有機ＥＬ素子も考案されている。例えば、特許文献１の有機ＥＬ素子は、基板上に光透過性の第１の電極が設けられ、その第１の電極の上に少なくとも発光層を有する有機層が設けられている。そして、その有機層の上に光透過性の第２の電極が設けられ、少なくとも第２の電極は酸化インジウムからなっている。【０００５】
自己発光と面光源であるために、有機ＥＬ素子を表示装置に用いることが期待されている。表示装置として用いる場合、フルカラー化の方法には、１画素ごとに、赤（Ｒ）、緑（Ｇ）、青色（Ｂ）の３色を発光する有機ＥＬ発光素子を基板上に配列する方法（いわゆる３色塗り分け法）、バックライトの発光を波長分布変換することによる色変換法（以下、ＣＣＭ法と称する）、バックライトの発光をカラーフィルタを通して放射するカラーフィルタ法などがある（特許文献３）。特許文献３には、ＣＣＭ法を用いるパッシブマトリクス駆動トップエミッション型ＥＬ素子が記載されている。【０００６】
また、特許文献４には、光の取り出し効率を高めて輝度の向上を図る面発光光源が記載されている。特許文献４の面発光光源は、透明基板の表面に、透明電極と有機ＥＬ層を含む発光層と反射電極の積層体でなる発光素子が形成される。発光素子は、透明基板の表面において多面構造のプリズム構造面を有している。これにより、発光層に屈曲部をもたせ、発光層内の全反射光を当該屈曲部から取り出す。発光素子を多面構造とすることにより、発光面積の増大による実質上の輝度向上を図る。
【先行技術文献】
【特許文献】
【０００７】
【特許文献１】特開２００１−０７６８８２号公報
【特許文献２】特開２００４−１２７６３９号公報
【特許文献３】特開２００５−２０３１９６号公報
【特許文献４】特開２００６−３５１２１１号公報
【発明の概要】
【発明が解決しようとする課題】
【０００８】
関連する技術の有機ＥＬ発光素子は、発光装置として全体を見れば、いずれも発光面が１つの平面である。有機ＥＬ発光素子を曲面に構成することも可能であるが、発光面に直交する方向には、発光面としての奥行きはない。関連する技術の有機ＥＬ素子を用いる発光装置は、発光面に直交する方向に奥行き感がない。【０００９】
本発明は上述の事情に鑑みてなされたもので、発光面に奥行き感のある有機ＥＬ発光装置を提供することを目的とする。
【課題を解決するための手段】
【００１０】
本発明の観点に係る有機ＥＬ発光装置は、
透明な基板上に形成された光透過性の第１の電極、前記第１の電極の上に形成された発光層を有する有機層、および、前記有機層の上に形成された光透過性の第２の電極、を有する光を透過する有機ＥＬパネルを含む、２以上の有機ＥＬパネルと、
前記２以上の有機ＥＬパネルを相互に重ねて支持する支持部と、
を備えることを特徴とする。
【発明の効果】
【００１１】
本発明によれば、発光面に奥行き感のある有機ＥＬ発光装置を提供できる。
【図面の簡単な説明】
【００１２】
【図１】本発明の実施の形態１に係る有機ＥＬ発光装置の一部破断斜視図である。
【図２】実施の形態１に係る有機ＥＬ発光装置の断面図である。
【図３】実施の形態１に係る有機ＥＬパネルの断面図である。
【図４】本発明の実施の形態２に係る有機ＥＬ発光装置の断面図である。
【図５】反射部材を含む有機ＥＬパネルの断面図である。
【図６】実施の形態２の変形例１に係る有機ＥＬ発光装置の断面図である。
【図７】変形例２に係る有機ＥＬ発光装置の断面図である。
【図８】変形例３に係る有機ＥＬ発光装置の断面図である。
【図９】変形例４に係る有機ＥＬ発光装置の概念斜視図である。
【図１０】本発明の実施の形態３に係る有機ＥＬ発光装置の有機ＥＬパネルの斜視図である。
【図１１】実施の形態３に係る有機ＥＬパネルの無発光透過パターンの例を示す図である。
【図１２】本発明の実施の形態４に係る有機ＥＬ発光装置の断面図である。
【発明を実施するための形態】
【００１３】
以下、図面を参照して、本発明の実施の形態について説明する。図中、同一または相当する部分には同じ符号を付す。
【００１４】
（実施の形態１）
図１は、本発明の実施の形態１に係る有機ＥＬ発光装置の破断斜視図である。有機ＥＬ発光装置１は、２枚の有機ＥＬパネル１０、１１と、有機ＥＬパネル１０、１１を支持する支持部２１を備える。図中、有機ＥＬパネル１０、１１を点灯するための点灯回路と配線は省略されている。支持部２１は、２枚の有機ＥＬパネル１０、１１を、その主面に直交する方向に重ねてほぼ平行に支持する。有機ＥＬパネル１０、１１は、いずれも、基板と電極が透明であり、光を透過する。
【００１５】
図２は、実施の形態１に係る有機ＥＬ発光装置の断面図である。２枚の有機ＥＬパネル１０、１１は、間隙を明けて平行に配置される。有機ＥＬパネル１０、１１はほぼ全面に亘って、電極と発光層が形成され、全面に亘って単一の色で発光する。有機ＥＬパネル１０と、有機ＥＬパネル１１は同じ発光色の場合と、異なる発光色の場合がある。
【００１６】
図３は、実施の形態１に係る有機ＥＬパネルの断面図である。有機ＥＬパネル１０、１１は、ガラスなどの透明な基板３１の上に、陽極３２、有機層３３、光透過性を有するバリア性導電層３４、および、光透過性を有する陰極３５が形成されている。陽極３２は例えば、ＩＴＯ（Indium Tin Oxide）またはＴｉＮなどから形成され、光を透過する。有機層３３は、例えば、正孔輸送層、有機ＥＬ発光層、電子輸送層、電子注入層を含む場合がある。有機層３３には、少なくとも有機ＥＬ発光層が含まれる。有機ＥＬ発光層の物質によって、有機ＥＬパネルの発光色が変化する。
【００１７】
バリア性導電層３４は、例えば、Ｃａ拡散層、Ａｇ、Ｍｇ、ＴｉＮ等の導電体層、または、金属、無機窒化物、無機酸化物などの薄膜などから形成される。バリア性導電層３４は、陰極材料が有機層３３に拡散するのを防止し、有機層３３への電子注入をしやすくする。
【００１８】
陰極３５は、例えば、酸化インジウム（Ｉｎ２Ｏ３）などから形成され、光を透過する。その場合、酸化インジウムと電子注入層または電子輸送層の伝導レベルとの整合をとるため、バリア性導電層３４としてＩｎメタル層を介することが好ましい。陰極材料の有機層３３への拡散を無視することができて、陰極３５から有機層３３への電子注入のための伝導レベルの整合をとる必要がなければ、バリア性導電層３４はなくてもよい。
【００１９】
有機ＥＬパネル１０、１１はいずれも光を透過するので、有機ＥＬパネル１０の発光は、直接有機ＥＬ発光装置１の外部（図２の左側）に照射されると同時に、有機ＥＬパネル１１を透過して有機ＥＬ発光装置１の反対側（図２の右側）に照射される。また、有機ＥＬパネル１１の発光は、直接有機ＥＬ発光装置１の外部（図２の右側）に照射されると同時に、有機ＥＬパネル１０を透過して、有機ＥＬ発光装置１の反対側（図２の左側）に照射される。有機ＥＬパネル１０、１１を同時に点灯させた場合、発光色としては、有機ＥＬパネル１０の発光と有機ＥＬパネル１１の発光が混色する。しかし、有機ＥＬパネル１０（１１）の側からみて、有機ＥＬパネル１０（１１）を通して、有機ＥＬパネル１１（１０）の発光を感じることができる。すなわち、発光に奥行き感が生じる。これは、有機ＥＬパネル１０と有機ＥＬパネル１１の間に間隙があるために、視差を生じるからである。奥行き感は、有機ＥＬパネル１０を点灯した後に、有機ＥＬパネル１１を点灯して、確認することができる。奥行き感は、有機ＥＬパネル１０、１１の距離が大きいほど、また、発光色が異なる場合に、認識しやすい。
【００２０】
有機ＥＬパネル１０、１１の発光色が同じ場合は、２枚とも点灯した場合に、発光色は変わらないが、輝度が強くなる。発光色が異なる場合は、それぞれ単独で点灯した場合と、両方とも点灯した場合で、発光色が変化する。また、両方の発光強度を変化させて、色調を変化させることができる。有機ＥＬパネル１０、１１を単一の発光色で構成する場合、有機層３３の分離やパネル内の配線で、発光しない部分を極めて小さくできるので、有効な発光面積が大きく、有機ＥＬ発光装置１の単位面積あたりの発光強度を大きくすることができる。
【００２１】
有機ＥＬ発光装置１の有機ＥＬパネルを３枚にして、それぞれ赤（Ｒ）、緑（Ｇ）、青（Ｂ）の単一の発光色にすれば、全体の色調を自由に変えることができる。しかも有効な発光面積を大きくできるので、発光強度の強い有機ＥＬ発光装置１が得られる。
【００２２】
（実施の形態２）
図４は、本発明の実施の形態２に係る有機ＥＬ発光装置の断面図である。実施の形態２の有機ＥＬ発光装置１は、３枚の有機ＥＬパネル１０、１１、１２を備える。３枚の有機ＥＬパネル１０、１１、１２のうち、端に位置する１枚は、光を反射する。実施の形態１の有機ＥＬ発光装置１に、光を反射する有機ＥＬパネル１２を加えた構成である。
【００２３】
光を反射する有機ＥＬパネル１２は、例えば、陽極３２または陰極３５が光を反射するように構成する。あるいは、光を透過する有機ＥＬパネル１２の基板３１の、電極とは反対側に、光を反射する部材を形成してもよい。光を反射する有機ＥＬパネル１２は、他の有機ＥＬパネル１０、１１の側に向けて発光する。他の有機ＥＬパネル１０、１１から、有機ＥＬパネル１２に向かう光は、有機ＥＬパネル１２の反射部材で反射されて、透明な有機ＥＬパネル１０の側から出射する。
【００２４】
図５は、反射部材を含む有機ＥＬパネルの断面図である。図５の例では、基板３１の上に反射部材として反射電極３６が形成される。この場合、発光は、基板３１と反対側の電極側に取り出される。したがって、基板３１は、他の有機ＥＬパネルの反対側に配置される。
【００２５】
反射電極３６は、高反射率の金属、アモルファス合金または微結晶性合金を用いて形成することができる。高反射率の金属は、例えば、Ａｌ、Ａｇ、Ｍｏ、Ｗ、Ｎｉ、Ｃｒなどを含む。高反射率のアモルファス合金は、例えば、ＮｉＰ、ＮｉＢ、ＣｒＰおよびＣｒＢなどを含む。高反射率の微結晶性合金は、例えば、ＮｉＡｌなどを含む。反射電極３６を陽極として用いてもよいし、陰極として用いてもよい。反射電極３６を陽極として用いる場合、高反射率材料の上に、ＳｎＯ２、Ｉｎ２Ｏ３、ＩＴＯ、ＩＺＯ、ＺｎＯ：Ａｌなどの導電性金属酸化物を積層して、有機ＥＬ層に対する正孔注入効率を向上させることができる。反射電極３６を陰極として用いる場合には、反射電極３６と接触する有機層３３の構成層を電子注入層として、有機ＥＬ層に対する電子注入の効率を向上させることができる。
【００２６】
図５では、反射電極３６を陽極とする場合を想定している。反射電極３６を陽極とする場合、有機層３３、バリア性導電層３４および陰極３５の構成は、実施の形態１と同様である。反射電極３６を陰極とする場合は、有機層３３の上に陽極が形成される。
【００２７】
図３の陰極を反射電極３６として、発光を基板３１側に取り出す構成でもよい。その場合、基板３１側を他の有機ＥＬパネルに向けて、有機ＥＬパネル１２を配置する。
【００２８】
実施の形態２では、有機ＥＬ発光装置１の、光を透過する有機ＥＬパネル１０が配置される側（光を反射する有機ＥＬパネルが配置される側と反対側）に光が照射される。反射部材によって、他の有機ＥＬパネル１０、１１の光が反射されて、片側に照射されるので、発光側の強度が強くなる。また、発光側から見て反射部材によって有機ＥＬパネル１０、１１の虚像が形成されることになるので、奥行き感が増加する。
【００２９】
光を反射する有機ＥＬパネル１２は、パネル面の全面に亘って反射電極３６を形成しなくてもよい。光を反射しない部分は異なる色調または輝度になり、その形状によって装飾的またはデザイン的な効果を生じることができる。また、奥行き感を強調する効果も期待できる。さらに、光を反射しない部分を光を透過するように構成してもよい。その場合、２以上の有機ＥＬパネルに光を反射するパターンを形成してもよい。例えば、有機ＥＬパネル１２に光を透過する部分を形成することによって、有機ＥＬ発光装置１の有機ＥＬパネル１２側に発光するパターンを形成することができる。これによって、有機ＥＬ発光装置１の装飾的またはデザイン的な効果を生じることができる。
【００３０】
各有機ＥＬパネル１０、１１、１２の発光色が単一で、発光色が同じ場合、または、発光色が異なる場合の効果は、実施の形態１で説明したのと同様である。また、赤（Ｒ）、緑（Ｇ）、青（Ｂ）の単一の発光色にして、全体の色調を自由に変えることも同様に可能である。
【００３１】
図６は、実施の形態２の変形例１に係る有機ＥＬ発光装置の断面図である。変形例１は、光を反射する有機ＥＬパネル１２を、光を透過する有機ＥＬパネルの間に配置する場合である。例えば、図６の右から２番目を光を反射する有機ＥＬパネル１２として、その他を光を透過する有機ＥＬパネルとする。この場合、光を反射する有機ＥＬパネル１２の発光面の向きには２通りある。
【００３２】
有機ＥＬパネル１２が、図６で光を透過する有機ＥＬパネルの数が多い方（左）に発光する場合、左の３枚の構成は、図４と同様である。光を反射する有機ＥＬパネル１２の背面も光を反射するように構成すると、右端の有機ＥＬパネル１３の発光は有機ＥＬパネル１２の背面で反射されるので、発光強度が増加し、奥行き感が生じる。
【００３３】
図６で、有機ＥＬパネル１２が、光を透過する有機ＥＬパネルの数が少ない方（右）に発光する場合、発光するパネルの数は、反射部材の両側で同じになる。有機ＥＬパネル１２の背面でも光を反射するように構成すれば、両側で類似の構成になる。ただし、発光面と反射部材の距離に差があるので、見え方は若干異なる。
【００３４】
図７は、変形例２に係る有機ＥＬ発光装置の断面図である。変形例２では、光を反射する有機ＥＬパネル１２に変えて、反射板３０を配置する。有機ＥＬパネル１０、１１の発光が反射板３０で反射されるので、図４の構成で、光を透過する有機ＥＬパネルを１枚にした場合に類似する。また、図４の構成で、光を反射する有機ＥＬパネル１２を発光させない状態に相当する。
【００３５】
反射板３０を平面ではなく、凸面または凹面などの曲面にすることもできる。例えば、反射板を有機ＥＬパネル１０、１１側に向かう凹面で形成すると、反射光は集光されるので、ダウンライトのような効果を得ることができる。
【００３６】
図８は、変形例３に係る有機ＥＬ発光装置の断面図である。変形例３では、光を透過する有機ＥＬパネル１０、１１を平行ではなく、相互に傾斜させて配置する。発光面が平行でないので、場所によって奥行き感が異なり、変わった演出効果がある。傾斜させる有機ＥＬパネルの選択と配置によって、異なる発光を演出することができる。光を反射する有機ＥＬパネル１２を傾斜させてもよい。
【００３７】
図９は、変形例４に係る有機ＥＬ発光装置の概念斜視図である。図９は、有機ＥＬパネル１４、１５、１６の形状と配置を表し、支持部２１は省略されている。実施の形態１および２では、平面の有機ＥＬパネルを想定していたが、有機ＥＬパネルは曲面で構成されてもよい。図９は、３つの有機ＥＬパネルがそれぞれ円筒形で、中心軸が重なるように配置される例を示す。図９でも、有機ＥＬパネルは、発光面（主面）に交わる（直交する）方向に重ねて支持される。
【００３８】
図９の形態で、光を反射する有機ＥＬパネルを中心に配置し、光を透過する有機ＥＬパネルをその周りに配置する構成とすることができる。また、全ての有機ＥＬパネルを光を透過するように構成することもできる。中心の有機ＥＬパネルが光を反射するか、光を透過するかで発光の見え方が異なる。いずれの場合も、発光面に奥行き感がある。特に、各有機ＥＬパネルの発光色が異なる場合、中央部分と両側で発光色が異なって見える。
【００３９】
なお、上述の変形例１ないし変形例４において、光を反射する有機ＥＬパネル１２、１６または反射板３０は、パネル面の全面に亘って光を反射しなくてもよい。さらに、光を反射しない部分を光を透過するように構成してもよい。その場合、２以上の有機ＥＬパネルに光を反射するパターンを形成してもよい。
【００４０】
（実施の形態３）
図１０は、本発明の実施の形態３に係る有機ＥＬ発光装置の有機ＥＬパネルの斜視図である。図１０では、支持部を省略している。有機ＥＬパネル１７、１８、１９はそれぞれ、パネル面の一部が発光せずに、光を透過する無発光透過パターン１７ｂ、１８ｂ、無発光パターン１９ｂが形成されている。無発光透過パターン１７ｂ、１８ｂ、無発光パターン１９ｂ以外の部分は、陽極３２、有機層３３および陰極３５が形成されて発光する、発光パターン１７ａ、１８ａ、１９ａである。図１０は、無発光透過パターン（発光パターン）の例を示す。
【００４１】
図１０で、右の有機ＥＬパネル１７は、中央の正方形部分が無発光透過パターン１７ｂで、その周囲が発光パターン１７ａである。中央の有機ＥＬパネル１８も、パネル内の正方形の中が無発光透過パターン１８ｂで、その周囲が発光パターン１８ａである。左の有機ＥＬパネル１９は、パネル内の正方形（破線）の中が発光パターン１９ａで、その周りが無発光パターン１９ｂである。左の有機ＥＬパネル１９は、光を反射する場合と、光を透過する場合がある。光を透過する場合は、無発光パターン１９ｂは無発光透過パターンであり、光を反射する場合は、無発光反射パターンである。
【００４２】
図１１は、実施の形態３に係る有機ＥＬパネルの無発光透過パターンの例を示す図である。図１１は、図１０の有機ＥＬパネルを右の有機ＥＬパネルの側から見た平面図である。有機ＥＬパネル１７の発光パターンと無発光透過パターンの境界を実線で示す。有機ＥＬパネル１８，１９の発光パターンと無発光透過パターンの境界を破線で示す。
【００４３】
有機ＥＬパネル１７の無発光透過パターン１７ｂの中に、有機ＥＬパネル１８の無発光透過パターン１８ｂと、有機ＥＬパネル１９の発光パターン１９ａが見える。発光面は、主面に直交する方向（奥行き方向）に段差を伴って見える。発光面が、奥行き方向に段差をもって見えるので、立体的な演出効果がある。特に、有機ＥＬパネル１７、１８、１９を順に点灯させる場合、発光面が奥行き方向に動いて見えるので、注意を引きつけ、視認性の高い表示効果が期待できる。有機ＥＬパネル１９が光を反射する場合、有機ＥＬパネル１７、１８の発光パターンが有機ＥＬパネル１９で反射するので、さらに、奥行きに広がりがあるように見える。
【００４４】
有機ＥＬパネルに無発光透過パターン（発光パターン）を形成するかどうかは任意である。無発光透過パターンを形成する有機ＥＬパネルと形成しないものを混在してもよい。また、無発光透過パターンと有機ＥＬパネルの発光色は任意に選択できる。
【００４５】
実施の形態３でも、各有機ＥＬパネルの発光色は任意である。各有機ＥＬパネルを単一の発光色にしてもよいし、有機ＥＬパネル内で発光色が異なる部分があってもよい。各有機ＥＬパネルの発光色は同じにすることも、相違させることもできる。
【００４６】
実施の形態３と実施の形態１または２を組み合わせることができる。実施の形態２の変形例１ないし４で、有機ＥＬパネルに無発光透過パターンを形成してもよい。
【００４７】
実施の形態３においても、光を反射する有機ＥＬパネルは、パネル面の全面に亘って光を反射しなくてもよい。さらに、光を反射しない部分を光を透過するように構成してもよい。その場合、２以上の有機ＥＬパネルに光を反射するパターンを形成してもよい。例えば、図１０において、有機ＥＬパネル１８および１９に光を反射するパターンを形成することが考えられる。なお、光を反射するパターンと無発光透過パターンが重なる必要はない。これらの組合せによって、様々な装飾的またはデザイン的な効果を生じることができる。光を反射するパターンを２以上の有機ＥＬパネルに形成する場合、有機ＥＬ発光装置１を見る位置によって、発光パターンの見え方が複雑に変化する。
【００４８】
（実施の形態４）
図１２は、本発明の実施の形態４に係る有機ＥＬ発光装置の断面図である。実施の形態４の有機ＥＬ発光装置１は、隣り合う有機ＥＬパネル１０、１１の間隙に向かって発光する光源４０を備える。例えば、有機ＥＬパネル１０、１１の間隙の支持部２１の内側面に、ＬＥＤ（Light Emitting Diode）を配置する。光源４０は、間隙の両側の有機ＥＬパネル１０、１１のパネル面の方向に光を照射する。
【００４９】
有機ＥＬパネル１０、１１の間隙に光源４０を設けて、間隙に向けて光を照射することによって、異なる種類の発光の模様（グラデーション）を形成することができる。また、有機ＥＬ発光装置１の発光強度をさらに強くすることができる。光源４０の発光色は、有機ＥＬパネル１０、１１の発光色と同じ場合と異なる場合がある。
【００５０】
図１２は、実施の形態１の有機ＥＬ発光装置１に、光源４０を設けた構成になっている。実施の形態２または３と実施の形態４を組み合わせることができる。また、光源４０を配置する間隙があれば、いずれの有機ＥＬパネルの間に光源４０を配置することもできる。すなわち、隣合う少なくとも２つの有機ＥＬパネルが、相互に光源４０を配置するだけの間隙をあけて配置されていれば、その間隙に光源４０を配置することができる。
【００５１】
有機ＥＬパネルの間隙に配置する光源４０は、ＬＥＤに限らない。例えば、ハロゲンランプ、または蛍光灯などを配置してもよい。また、有機ＥＬパネルの間隙に導光体を配置して、光源４０の光を導光すると同時に、拡散させてもよい。
【００５２】
上記の実施形態の一部または全部は、以下の付記のようにも記載されうるが、以下には限られない。
【００５３】
（付記１）
透明な基板上に形成された光透過性の第１の電極、前記第１の電極の上に形成された発光層を有する有機層、および、前記有機層の上に形成された光透過性の第２の電極、を有する光を透過する有機ＥＬパネルを含む、２以上の有機ＥＬパネルと、
前記２以上の有機ＥＬパネルを相互に重ねて支持する支持部と、
を備えることを特徴とする有機ＥＬ発光装置。
【００５４】
（付記２）
前記２以上の有機ＥＬパネルのうち、少なくとも１つの有機ＥＬパネルは、光を反射する反射部材を含む、ことを特徴とする付記１に記載の有機ＥＬ発光装置。
【００５５】
（付記３）
前記反射部材を含む有機ＥＬパネルは、前記重ねた方向の端に位置することを特徴とする付記２に記載の有機ＥＬ発光装置。
【００５６】
（付記４）
前記２以上の有機ＥＬパネルを重ねた方向の端に、前記有機ＥＬパネルに向かう面が光を反射する反射板を備え、
全ての前記有機ＥＬパネルは少なくとも光を透過する部分を含む、
ことを特徴とする付記１ないし３のいずれかに記載の有機ＥＬ発光装置。
【００５７】
（付記５）
前記支持部は、全ての前記有機ＥＬパネルを、主面の向きを相互に平行に支持することを特徴とする付記１ないし４のいずれかに記載の有機ＥＬ発光装置。
【００５８】
（付記６）
前記支持部は、少なくとも１つの前記有機ＥＬパネルを、その主面が他のいずれかの有機ＥＬパネルの主面に交わる向きに支持することを特徴とする付記１ないし４のいずれかに記載の有機ＥＬ発光装置。
【００５９】
（付記７）
少なくとも１つの前記有機ＥＬパネルは、そのパネル面の一部が発光せずに、光を透過する無発光透過パターンが形成されていることを特徴とする付記１ないし６のいずれかに記載の有機ＥＬ発光装置。
【００６０】
（付記８）
前記有機ＥＬパネルはそれぞれ、単一の発光色を有することを特徴とする付記１ないし７のいずれかに記載の有機ＥＬ発光装置。
【００６１】
（付記９）
前記有機ＥＬパネルはそれぞれ、互いに異なる発光色を有することを特徴とする付記１ないし８のいずれかに記載の有機ＥＬ発光装置。
【００６２】
（付記１０）
隣り合う少なくとも２つの前記有機ＥＬパネルは、相互に所定の間隙をあけて配置され、
前記有機ＥＬパネルの間隙に向かって、前記間隙の両側の有機ＥＬパネルのパネル面の方向に光を照射する発光手段を備える、
ことを特徴とする付記１ないし９のいずれかに記載の有機ＥＬ発光装置。
【００６３】
本発明は、発明の広い趣旨、範囲から外れることなく各種の実施形態とその変形が可能である。上記各実施形態は本発明を説明するためのものであり、本発明の範囲を限定することを意図したものではない。本発明の範囲は実施形態よりも、添付した請求項によって示される。請求項の範囲内、及び発明の請求項と均等の範囲でなされた各種変形は本発明の範囲に含まれる。
【００６４】
本発明は、２０１３年１月１１日に出願された日本国特許出願番号２０１３−３１９６号に基づく。本明細書中に日本国特許出願番号２０１３−３１９６号の明細書、特許請求の範囲、図面全体を参照として取り込むものとする。
【産業上の利用可能性】
【００６５】
本発明は、例えば、有機ＥＬパネルを用いた有機ＥＬパネル発光装置に利用することができる。
【符号の説明】
【００６６】
１    有機ＥＬ発光装置
１０、１１、１２、１３    有機ＥＬパネル
１４、１５、１６    有機ＥＬパネル
１７、１８、１９    有機ＥＬパネル
１７ａ、１８ａ、１９ａ  発光パターン
１７ｂ、１８ｂ  無発光透過パターン
１９ｂ  無発光パターン
２１、２２、２３、２４    支持部
３０    反射板
３１    基板
３２    陽極
３３    有機層
３４    バリア性導電層
３５    陰極
３６    反射電極
４０    光源
【図１】
0006475018.tif 000002
【図２】
0006475018.tif 000003
【図３】
0006475018.tif 000004
【図４】
0006475018.tif 000005
【図５】
0006475018.tif 000006
【図６】
0006475018.tif 000007
【図７】
0006475018.tif 000008
【図８】
0006475018.tif 000009
【図９】
0006475018.tif 000010
【図１０】
0006475018.tif 000011
【図１１】
0006475018.tif 000012
【図１２】
0006475018.tif 000013